(57)【要約】【課題】環境応力破壊を生じにくいトリガー式液体噴出器を提供すること。【解決手段】トリガーボディ１４の前側にノズル２０を設け、トリガーボディ１４の液流路とノズル２０の噴出孔２３との間にスピンエレメント２１を設けてなるトリガー式液体噴出器であって、トリガーボディ１４とノズル２０を一体成形し、スピンエレメント２１をトリガーボディ１４に設けた孔２３に挿入したもの。【選択図】  図１
2004314016.tif 000002
【特許請求の範囲】
【請求項１】
トリガーボディの前側にノズルを設け、トリガーボディの液流路とノズルの噴出孔との間にスピンエレメントを設けてなるトリガー式液体噴出器であって、
トリガーボディとノズルを一体成形し、スピンエレメントをトリガーボディに設けた孔に挿入したトリガー式液体噴出器。
【請求項２】
前記スピンエレメントをトリガーボディに設けた孔に径方向、軸方向にガタの生じない寸法関係で挿入された請求項１に記載のトリガー式液体噴出器。
【請求項３】
前記トリガーボディに設けた孔を該トリガーボディの後側に開口し、該孔の開口部に栓を設けた請求項１又は２に記載のトリガー式液体噴出器。
【請求項４】
前記噴出器の内容液が次亜塩素酸ナトリウムを含有する液体である請求項１〜３のいずれかに記載のトリガー式液体噴出器。
【請求項５】
前記噴出器の内容液が次亜塩素酸ナトリウムを含有する洗浄剤である請求項１〜４のいずれかに記載のトリガー式液体噴出器。
【請求項６】
前記噴出器の内容液が次亜塩素酸ナトリウムと界面活性剤を含有する洗浄剤である請求項１〜４のいずれかに記載のトリガー式液体噴出器。
【発明の詳細な説明】
【０００１】
【発明の属する技術分野】
本発明はトリガー式液体噴出器に関する。
【０００２】
【従来の技術】
特許文献１に記載の如く、トリガー式液体噴出器として、トリガーボディの前側にノズルを取付け、トリガーボディの液流路とノズルの噴出孔との間にスピンエレメントを設け、トリガーボディの液流路を圧送されてきた液体にスピンエレメント〜ノズルの液流路によって旋回動を与え、旋回された液体をノズルの噴出孔から噴出するものがある。
【０００３】
特許文献１のトリガー式液体噴出器では、スピンエレメントにノズルをしまり嵌めして固定するとともに、トリガーボディにスピンエレメントをしまり嵌めして固定している。
【０００４】
【特許文献１】
特開平８−３３２４２２（［００１１］、図１、図２）
【０００５】
【発明が解決しようとする課題】
特許文献１のトリガー式液体噴出器では、スピンエレメントとノズルのしまり嵌めの嵌合部、及びトリガーボディとスピンエレメントのしまり嵌めの嵌合部が、界面活性剤を含む漂白剤等の内容液に常に晒されながら、嵌合による応力を定常的に生じているから、環境応力破壊による破損を生じ易い。内容液が界面活性剤と次亜塩素酸ナトリウムを含有する場合には、界面活性剤と次亜塩素酸ナトリウムの相乗効果的影響により、更に破損を生じ易い。
【０００６】
本発明の課題は、環境応力破壊を生じにくいトリガー式液体噴出器を提供することにある。
【０００７】
【課題を解決するための手段】
請求項１の発明は、トリガーボディの前側にノズルを設け、トリガーボディの液流路とノズルの噴出孔との間にスピンエレメントを設けてなるトリガー式液体噴出器であって、トリガーボディとノズルを一体成形し、スピンエレメントをトリガーボディに設けた孔に挿入したものである。
【０００８】
【発明の実施の形態】
以下、図面を用いて本発明を詳細に説明する。トリガー式液体噴出器１０は、図１に示す如く、容器１１の開口部に接続される通液体１２を、該容器１１に螺着されるキャップ１３により該容器１１に固定する。トリガー式液体噴出器１０は、通液体１２にトリガーボディ１４を嵌合して一体化し（通液体１２とトリガーボディ１４は一体成形されても可）、トリガーボディ１４の主筒１４Ａをキャップ１３の側から起立し、主筒１４Ａの中間部から前方にシリンダ筒１４Ｂを突設し、主筒１４Ａの上端部から前方に射出筒１４Ｃを突設している。
【０００９】
トリガー式液体噴出器１０は、トリガーレバー１５の上端部をトリガーボディ１４の射出筒１４Ｃにおける前方側の両外側部に回動自在に枢着し、シリンダ筒１４Ｂに嵌合させたプランジャ１７の前端部にトリガーレバー１５の中間部の後面を係合させ、シリンダ筒１４Ｂに内蔵のスプリング１８によりプランジャ１７を介してトリガーレバー１５を前方に弾発させる。
【００１０】
トリガー式液体噴出器１０は、トリガーボディ１４の射出筒１４Ｃの前端にノズル２０を設け、トリガーボディ１４の射出筒１４Ｃに設けられる液流路ａと、ノズル２０の液流路ｃ、噴出孔ｄとの間には、液流路ａに連通する液流路ｂを備えるスピンエレメント２１が後述する如くに設けられる（図２参照）。
【００１１】
トリガー式液体噴出器１０は、容器１１の内部に延びるディップチューブ３１を通液体１２の下端部に挿着し、通液体１２の内部に入側逆止弁３２、出側逆止弁３３を設けている。
【００１２】
これにより、トリガー式液体噴出器１０にあっては、トリガーレバー１５の引き操作に基づくプランジャ１７の加圧動作により、シリンダ筒１４Ｂ内の液体を出側逆止弁３３経由で、射出筒１４Ｃの液流路ａ、スピンエレメント２１の液流路ｂ、ノズル２０の液流路ｃを介して噴出孔ｄから噴出する。また、トリガーレバー１５の引き操作解除に基づくプランジャ１７の戻り動作で、容器１１内の液体を入側逆止弁３２経由でシリンダ筒１４Ｂに吸込む。
【００１３】
尚、トリガー式液体噴出器１０は、トリガーボディ１４に支持されてトリガーボディ１４の上面部、背面部及び両側面部を覆うシュラウド４１により、ノズル２０の上側と両側部を覆う。シュラウド４１の天面の内面に設けた上係止部４２Ａをトリガーボディ１４の主筒１４Ａ又は射出筒１４Ｃの上面に設けた係止部４２Ｂに係止し、シュラウド４１の底面の前端側の内面に設けた下係止部４３Ａをトリガーボディ１４の主筒１４Ａの後面に設けた係止部４３Ｂに係止することにより、シュラウド４１をトリガーボディ１４に係止固定する。
【００１４】
また、トリガー式液体噴出器１０は、トリガーボディ１４に設けたノズル２０の外周に、トリガーレバー１５のためのストッパノブ４４の環状取付部４４Ａを回動可能に取着している。ストッパノブ４４を待機位置からストップ位置に回動させると、トリガーレバー１５がストッパノブ４４に係合して引き操作不可になる。
【００１５】
また、トリガー式液体噴出器１０は、ストッパノブ４４の環状取付部４４Ａの前面にカバー４５を着脱自在に有する。カバー４５は、ストッパノブ４４の環状取付部４４Ａに嵌着された状態で、ノズル２０の噴出孔ｄに棒状突起４５Ａを挿着し、物流段階での液洩れを防ぐ。
【００１６】
しかるに、トリガー式液体噴出器１０は、トリガーボディ１４に対するノズル２０、スピンエレメント２１の設置構造を以下の如くに構成する。
【００１７】
ノズル２０は、図１、図２に示す如く、トリガーボディー１４の射出筒１４Ｃの前端に一体成形（プラスチック等の一体成形）される。
【００１８】
スピンエレメント２１は、図１、図２に示す如く、トリガーボディ１４の射出筒１４Ｃに設けた孔２３に挿入される。孔２３は、トリガーボディー１４の主筒１４Ａから射出筒１４Ｃに渡って一直線上に延在され、主筒１４Ａの後側に開口し、その開口部に栓２４を封着される。シュラウド４１に一体成形した栓押え４６は、シュラウド４１をトリガーボディー１４に係止した状態で、栓２４を背面から支持する。
【００１９】
スピンエレメント２１は、先端側の小径部２１Ａと、基端側の大径部２１Ｂとを有し、孔２３は、前端側の小径部２３Ａと、後端側の大径部２３Ｂとを有する。スピンエレメント２１は、孔２３の開口部から挿入され、孔２３の中間部の液流路ａを通過し、小径部２１Ａの先端面を孔２３の小径部２３Ａの奥側端面に軸方向で当接させる位置に位置付け、大径部２１Ｂの基端面を孔２３の大径部２３Ｂの中間部の内周の位置に設けた環状若しくは１以上の点状突起２５等の衝合部に軸方向で当接させ、軸方向に位置決め保持される。
【００２０】
スピンエレメント２１の小径部２１Ａ、大径部２１Ｂは、孔２３の小径部２３Ａ、大径部２３Ｂに径方向、軸方向ともがたの生じない寸法関係にて挿入され、組み込まれる。
【００２１】
ノズル２０とスピンエレメント２１は、射出筒１４Ｃの液流路ａとノズル２０の噴出孔ｄとの間に以下の如くの液流路ｂ（ｂ１、ｂ２、ｂ３）、液流路ｃを備える（図２〜図６）。
【００２２】
スピンエレメント２１は、射出筒１４Ｃの液流路ａに常時連なる溝状の液流路ｂ１（図３）を大径部２１Ｂの外周の周方向の１以上の位置（本実施形態では２位置）にて軸方向に延在し、ノズル２０の液流路ｃに常時連なる溝状の液流路ｂ３（図５）を小径部２１Ａの外周の周方向の１以上の位置（本実施形態では２位置）にて軸方向に延在する。トリガーボディー１４の孔２３は、スピンエレメント２１の液流路ｂ１と液流路ｂ３を常時連通させる溝状の液流路ｂ２（図４）を、大径部２３Ｂの内周の周方向の１以上の位置（本実施形態では２位置）にて軸方向に延在する。液流路ｂ３は流路面積を液流路ｂ１、液流路ｂ２より絞られる。
【００２３】
ノズル２０は、孔２３の小径部２３Ａの奥側端面の中心部から外方に向けて噴出孔ｄを穿設するとともに、スピンエレメント２１の液流路ｂ３が連通する小径部２３Ａの奥側端面の外周側から噴出孔ｄに至る旋回流路を液流路ｃとして周方向の１以上の位置（本実施形態では２位置）に備える（図６）。
【００２４】
従って、トリガー式液体噴出器１０にあっては、射出筒１４Ｃの液流路ａの液体が、スピンエレメント２１の液流路ｂ１、トリガーボディ１４の液流路ｂ２、スピンエレメント２１の液流路ｂ３、ノズル２０の旋回流路ｃに圧送され、液流路ｂ２の絞り流路で流速を高められた状態で、旋回流路ｃで旋回動を付与された液体が噴出孔ｄから噴出せしめられる。このとき、ノズル２０に設けてある空気取入れ口２６から流入する空気が液体に混合して液体を泡化し、液体を泡状にして吐出可能にする。
【００２５】
トリガー式液体噴出器１０の内容液としては、例えば界面活性剤と次亜塩素酸ナトリウムを含有する液体を採用できる。
【００２６】
本実施形態によれば以下の作用効果を奏する。
（請求項１に対応する作用効果）
▲１▼トリガーボディ１４とノズル２０を一体成形したから、トリガーボディ１４にスピンエレメント２１を介してノズル２０をしまり嵌めして固定することがない。従って、トリガーボディ１４とノズル２０が内容液に晒されるにしても、両方の部材に環境応力破壊を誘引するような応力を生ずることがなく、破損を引き起こさない。
【００２７】
▲２▼スピンエレメント２１をトリガーボディ１４に設けた孔２３に単に挿入して嵌め合いの嵌合代を小さくして納めることにより、スピンエレメント２１をトリガーボディ１４に組付けできる。従って、トリガーボディ１４とスピンエレメント２１の組付部が内容液に晒されるにしても、その組付部に環境応力破壊を誘引するような応力を生ずることがなく、破損を引き起こさない。
【００２８】
（請求項２に対応する作用効果）
▲３▼スピンエレメント２１をトリガーボディ１４に対する組付部で径方向、軸方向にガタの生じない寸法関係で挿入することにより、その組付部に環境応力破壊を誘引するような応力の発生を確実に排除できる。
【００２９】
（請求項３に対応する作用効果）
▲４▼トリガーボディ１４の後側に、スピンエレメント２１を挿入する孔２３を開口したから、スピンエレメント２１の組付性が良い。
【００３０】
（請求項４〜６に対応する作用効果）
▲５▼内容液が次亜塩素酸ナトリウムを含有する洗浄剤等の液体であっても、トリガーボディ１４とノズル２０とスピンエレメント２１の環境応力破壊を防止できる。
【００３１】
図７〜図１０の変形例は、スピンエレメント２１の外径をストレート状にするとともに、孔２３のスピンエレメント２１が挿入される部分の孔径をストレート状にした。この場合にも、スピンエレメント２１は、孔２３の開口部から挿入され、孔２３の中間部の液流路ａを通過し、先端面を孔２３の奥側端面に軸方向で当接させる位置に位置付け、基端面を孔２３の中間部の内周の位置に設けた環状若しくは１以上の点状突起２５等の衝合部に軸方向で当接させ、軸方向に位置決め保持される。スピンエレメント２１は、孔２３に径方向、軸方向ともがたの生じない寸法関係にて挿入され、組込まれる。
【００３２】
また、図７〜図１０のトリガー式液体噴出器１０において、スピンエレメント２１は、射出筒１４Ｃの液流路ａとノズル２０の噴出孔ｄとの間に、液流路ｂ（ｂ１、ｂ２）と旋回流路ｃを以下の如くに設けた。スピンエレメント２１は、射出筒１４Ｃの液流路ａに常時連なる溝状の液流路ｂ１（図８）をスピンエレメント２１の外周の周方向の１以上の位置（本実施形態では２位置）にて軸方向に延在するとともに、液流路ｂ１に常時連なる、液流路ｂ１より流路面積を絞った溝状の液流路ｂ２（図９）をスピンエレメント２１の外周の周方向の１以上の位置（本実施形態では２位置）にて軸方向に延在し、更に液流路ｂ２とノズル２０の噴出孔ｄを常時つなぐ旋回流路ｃをスピンエレメント２１の先端面に備える（図１０）。
【００３３】
従って、図７〜図１０のトリガー式液体噴出器１０にあっては、射出筒１４Ｃの液流路ａの液体が、スピンエレメント２１の液流路ｂ１、液流路ｂ２にて圧送され、液流路ｂ２の絞り流路で流速を高められた状態で、旋回流路ｃにおいて旋回動を付与され、噴出孔ｄから噴出せしめられる。
【００３４】
即ち、トリガー式液体噴出器１０にあっては、図７〜図１０の変形例の如く、射出筒１４Ｃの液流路ａとノズル２０の噴出孔ｄとの間の溝状の液流路を、トリガーボディ１４に設けず、スピンエレメント２１にのみ設けることができる。尚、射出筒１４Ｃの液流路ａとノズル２０の噴出孔ｄとの間の溝状の液流路を、スピンエレメント２１に設けず、トリガーボディ１４にのみ設けることもできる。
【００３５】
【発明の効果】
本発明によれば、環境応力破壊を生じにくいトリガー式液体噴出器を提供することができる。
【図面の簡単な説明】
【図１】図１はトリガー式液体噴出器を示す断面図である。
【図２】図２は図１の要部拡大図である。
【図３】図３は図２のＩＩＩ−ＩＩＩに沿う断面図である。
【図４】図４は図２のＩＶ−ＩＶに沿う断面図である。
【図５】図５は図２のＶ−Ｖに沿う断面図である。
【図６】図６は図２のＶＩ−ＶＩに沿う断面図である。
【図７】図７はトリガー式液体噴出器の変形例の要部を示す断面図である。
【図８】図８は図７のＶＩＩＩ−ＶＩＩＩに沿う断面図である。
【図９】図９は図７のＩＸ−ＩＸに沿う断面図である。
【図１０】図１０は図７のＸ−Ｘに沿う断面図である。
【符号の説明】
１０  トリガー式液体噴出器
１４  トリガーボディ
２０  ノズル
２１  スピンエレメント
２３  孔
２４  栓
【図１】
2004314016.tif 000003
【図２】
2004314016.tif 000004
【図３】
2004314016.tif 000005
【図４】
2004314016.tif 000006
【図５】
2004314016.tif 000007
【図６】
2004314016.tif 000008
【図７】
2004314016.tif 000009
【図８】
2004314016.tif 000010
【図９】
2004314016.tif 000011
【図１０】
2004314016.tif 000012